(57)【特許請求の範囲】
【請求項１】
電力系統の途中に一次巻線が並列に接続された並列変圧器と、
前記電力系統の途中に二次巻線が直列に接続された直列変圧器と、
前記並列変圧器の二次巻線側に配置された並列側電力変換器、前記直列変圧器の一次巻線側に配置された直列側電力変換器、前記並列側電力変換器と前記直列側電力変換器とを接続する２本の直流線路間に接続されたコンデンサ及び前記直列側電力変換器と前記並列側電力変換器を制御する電力変換器制御手段を備えて前記並列変圧器の二次巻線と前記直列変圧器の一次巻線との間に配置された電力変換装置とを具備し、
前記電力変換装置の前記電力変換器制御手段が、系統電圧が規定値よりも低いときには前記コンデンサの両端電圧に基いて前記直列側電力変換器を用いて発生した補償電圧を前記直列変圧器を通して系統電圧に重畳し且つ前記系統電圧が前記規定値よりも高いときには前記直列変圧器から前記直列側電力変換器を通して前記コンデンサを充電することにより前記系統電圧を前記規定値とすることにより負荷電圧を一定にする負荷電圧一定制御と前記コンデンサを前記並列側電力変換器を通して放電することにより無効電流を補償する補償電流を前記並列変圧器から前記電力系統に注入する力率１制御とを行うように前記直列側電力変換器及び前記並列側電力変換器を制御する電力品質補償装置であって、
前記コンデンサとして電気二重層コンデンサが用いられ、
前記電力変換装置の前記電力変換器制御手段は、前記負荷電圧一定制御と前記力率１制御を行っているときに、瞬時電圧低下が発生すると、前記力率１制御を瞬時電圧低下補償制御に変えて、前記電気二重層コンデンサに蓄積された電荷を前記並列側電力変換器を通して放電し、前記並列変圧器から有効電力を前記電力系統に供給することにより、前記直列変圧器から前記系統電圧に重畳する前記補償電圧による前記負荷電圧一定制御による補償では不足する分を補って、前記系統電圧を前記規定値に近付けるように前記直列側電力変換器と前記並列側電力変換器を制御することを特徴とする電力品質補償装置。
【発明の詳細な説明】
【０００１】
【発明の属する技術分野】
本発明は、電力系統の電圧と無効電力または力率を制御して電力品質を補償する電力品質補償装置に関するものである。
【０００２】
【従来の技術】
公知の電力品質補償装置は、電力系統の途中に一次巻線が並列に接続された並列変圧器と、電力系統の途中に二次巻線が直列に接続された直列変圧器と、電力変換装置とを具備する。電力変換装置は、並列変圧器の二次巻線側に配置された並列側電力変換器と、直列変圧器の一次巻線側に配置された直列側電力変換器と、並列側電力変換器と直列側電力変換器とを接続する２本の直流線路間に接続されたコンデンサと、直列側電力変換器と並列側電力変換器を制御する電力変換器制御手段とを備えて、並列変圧器の二次巻線と直列変圧器の一次巻線との間に配置されている。そして電力変換装置の電力変換器制御手段は、系統電圧が規定値よりも低いときにはコンデンサの両端電圧に基いて発生した補償電圧を直列変圧器を通して系統電圧に重畳し且つ系統電圧が規定値よりも高いときには直列変圧器から直列側電力変換器を通してコンデンサを充電することにより系統電圧を規定値とすることにより負荷電圧を一定にする負荷電圧一定制御とコンデンサを並列側電力変換器を通して放電することにより無効電流を補償する補償電流を並列変圧器から電力系統に注入する力率１制御とを行うように直列側電力変換器及び並列側電力変換器を制御する。
【０００３】
この電力品質補償装置のように直列変圧器と並列変圧器と電力変換装置とを用いて負荷電圧及び力率を制御する場合の基本原理については、平成８年電気学会論文Ｂ１１６巻８号の第１００７頁〜第１０１４頁に「半導体化高速移相器による可変リアクタンス装置（電圧変動の補償）」と題して発表されている。また平成６年電気学会全国大会の予稿集５−１１９頁に論文番号５６８で「３相パラレルプロセシング方式受電端定電圧制御システムに関する検討」と題して発表された論文と、平成７年電気学会全国大会の予稿集４−１５７頁に論文番号７７５で「直列補償装置による受電端定電圧制御システムの検討」と題して発表された論文には、同じ基本原理で動作する補償装置を備えた無停電電源装置が示されている。
【０００４】
【発明が解決しようとする課題】
従来の電力品質補償装置の電力変換装置では、並列側電力変換器と直列側電力変換器とを接続する２本の直流線路間に接続されたいわゆる電源コンデンサまたは平滑用コンデンサと呼ばれるコンデンサとして、アルミ電解コンデンサ等を用いている。しかしながらこのコンデンサがアルミ電解コンデンサで得られる程度の容量しかない場合には、電力系統において受電電圧に瞬時電圧低下や一時的な波形歪みなどが発生したときに、並列側電力変換器と直列側電力変換器との間に有効電力制御のアンバランスが生じると、コンデンサの両端間の直流電圧が大幅に変動して、補償精度と補償の信頼性が低下するという問題が発生する。また従来の電力品質補償装置では、比較的頻繁に発生する瞬時電圧低下に対しては特に対処していない。前述の「３相パラレルプロセシング方式受電端定電圧制御システムに関する検討」及び「直列補償装置による受電端定電圧制御システムの検討」と題する論文に掲載された無停電電源装置によれば、比較的頻繁に発生する瞬時電圧低下に対して対応することができるものの、無停電を実現するためには極めて大きな蓄電池を必要とするだけでなく、装置が複雑になりしかも大型化する問題が発生する。
【０００５】
本発明の目的は、直流電圧の変動がなく、補償精度と補償の信頼性が高い電力品質補償装置を提供することにある。
【０００６】
本発明の他の目的は、簡単な構成で、瞬時電圧低下（瞬時停電を含む）に対処できる電力品質補償装置を提供することにある。
【０００７】
【課題を解決するための手段】
本発明が改良の対象とする電力品質補償装置は、電力系統の途中に一次巻線が並列に接続された並列変圧器と、電力系統の途中に二次巻線が直列に接続された直列変圧器と、電力変換装置とを具備する。そして電力変換装置は、並列変圧器の二次巻線側に配置された並列側電力変換器と、直列変圧器の一次巻線側に配置された直列側電力変換器と、並列側電力変換器と直列側電力変換器とを接続する２本の直流線路間に接続されたコンデンサと、直列側電力変換器と並列側電力変換器を制御する電力変換器制御手段とを備えて、並列変圧器の二次巻線と直列変圧器の一次巻線との間に配置されている。そして電力変換装置の電力変換器制御手段は、系統電圧が規定値よりも低いときにはコンデンサの両端電圧に基いて直列側電力変換器を用いて発生した補償電圧を直列変圧器を通して系統電圧に重畳し且つ系統電圧が規定値よりも高いときには直列変圧器から直列側電力変換器を通してコンデンサを充電することにより系統電圧を規定値とすることにより負荷電圧を一定にする負荷電圧一定制御とコンデンサを並列側電力変換器を通して放電することにより無効電流を補償する補償電流を並列変圧器から電力系統に注入する力率１制御とを行うように直列側電力変換器及び並列側電力変換器を制御する。
【０００８】
本発明では、コンデンサとして電気二重層コンデンサを用いる。現在市販されている電気二重層コンデンサには、アルミ電解コンデンサの１０００倍程度の容量を有するものもあり、必要な容量分の電気二重層コンデンサを複数個直列に接続すれば所望の容量を簡単に得ることができる。したがってコンデンサとして電気二重層コンデンサを用いると、従来のように並列側電力変換器と直列側電力変換器との間に有効電力制御のアンバランスが生じても、コンデンサの両端間の直流電圧が大幅に変動することがなく、補償精度と補償の信頼性とを確保することができる。
【０００９】
また本発明では、瞬時電圧低下（瞬時停電を含む）が発生したときに、電力変換装置の電力変換器制御手段が、電気二重層コンデンサに蓄積された電荷を並列側電力変換器を通して放電して並列変圧器から有効電力を電力系統に供給することにより負荷電圧を規定値に近付ける瞬時電圧低下補償制御と負荷電圧一定制御とを行うように直列側電力変換器と並列側電力変換器を制御する。
【００１０】
電気二重層コンデンサであれば、容量が大きいために、電力系統で瞬時電圧低下が発生したときに、電気二重層コンデンサに蓄積された電荷を並列側電力変換器を通して放電して並列変圧器からも系統に有効電力を放出することができる。そのため、電力系統で瞬時電圧低下が発生したときに、瞬時電圧低下補償制御と負荷電圧一定制御とを協調させて、負荷電圧を規定値にすることが可能になる。
【００１１】
並列変圧器を電力系統の電源側に配置し、直列変圧器を電力系統の負荷側に配置する場合には、電力変換装置の電力変換器制御手段は、並列変圧器の一次巻線側の電力系統の系統電圧及び系統電流と直列変圧器の二次巻線を流れる電流とを入力として直列側電力変換器と並列側電力変換器を制御する。並列変圧器の一次巻線側の系統電圧と系統電流との間の位相差と系統電圧の大きさとにより、直列変圧器から系統電圧に重畳する補償電圧ΔＶの位相即ち補償角度θを決定して、負荷電圧を規定値内に補償する負荷電圧一定制御を行う。このときの負荷電圧一定制御では、負荷電流の位相が遅れであれば進み補償を行い、負荷電流の位相が進みであれば遅れ補償を行うことにより、力率を１にする力率１制御のための無効電力補償量を低減することができる。また系統電圧と系統電流との位相差を検出して（すなわち無効電流成分を検出して）、これを打ち消す（すなわち無効電流を補償する）ための補償電流を並列側電力変換器を通してコンデンサを充放電することにより得て並列変圧器から電力系統に注入する。そして瞬時電圧低下の発生で、系統電圧が予め定めた設定値以下に低下したときにも、並列側電力変換器を通してコンデンサの電荷を放電することにより得た有効電力を並列変圧器から電力系統に放出して、直列変圧器を用いた負荷電圧一定制御と協調して負荷電圧が規定値内に入るように補償する。補償電圧ΔＶの位相（補償角度）は、系統電圧及び系統電流に基づいて定めてもよいが、補償精度を高めるためには、直列変圧器の二次巻線を流れる電流即ち負荷電流を測定し、この負荷電流を考慮して負荷電圧一定制御の補償電圧ΔＶの位相を決定するのが好ましい。
【００１２】
また並列変圧器を電力系統の負荷側に配置し、直列変圧器を電力系統の電源側に配置してもよい。この場合においても、基本的な動作は同じであるが、この場合には電力変換装置の電力変換器制御手段は、直流変圧器の二次巻線の電源側の系統電圧及び系統電流と直列変圧器の二次巻線の負荷側の電圧とを入力として直列側電力変換器と並列側電力変換器を制御する。
【００１３】
【発明の実施の形態】
以下図面を参照して本発明の電力品質補償装置の実施の形態の一例を詳細に説明する。図１は、電力品質補償装置の構成を単線結線図を用いて概略的に示したものである。なおこの図において１は三相の電力系統であり、２は電力系統１の途中に一次巻線２ａが並列に接続された三相の並列変圧器であり、３は電力系統１の途中に二次巻線３ｂが直列に接続された三相の直列変圧器である。並列変圧器２の二次巻線２ｂと直列変圧器３の一次巻線３ａとの間には電力変換装置４が配置されている。電力変換装置４は、系統電圧Ｖinが規定値よりも低いときにはコンデンサ７の両端電圧に基いて直列側電力変換器６を用いて発生した補償電圧ΔＶを直列変圧器３を通して系統電圧Ｖinに重畳し且つ系統電圧Ｖinが規定値よりも高いときには直列変圧器３から直列側電力変換器６を通してコンデンサ７を充電することにより系統電圧Ｖinを規定値とすることにより負荷電圧を一定にする負荷電圧一定制御と、系統電流Ｉ1 の無効電流を補償する（力率を１に近付ける）補償電流ΔＩを並列変圧器２を通して電力系統１に注入する力率１制御とを行うように構成されている。
【００１４】
具体的に電力変換装置４は、並列側電力変換器５と、直列側電力変換器６と、並列側電力変換器５と直列側電力変換器６とを接続する２本の直流線路間に接続されたコンデンサ７と、電力変換器制御手段８とを備えている。そして電力変換装置４には並列変圧器２の一次巻線２ａが並列接続されている電力系統１の系統電圧Ｖin及び系統電流Ｉ1 をそれぞれ検出する電圧センサ９と電流センサ１０の出力が入力され、また直列変圧器３の二次巻線３ｂを流れる負荷電流Ｉ2 を検出する電流センサ１１の出力が入力されている。電圧センサ９としては計器用変圧器を用いることができる。電流センサ１０及び１１としては、変流器を用いることができる。
【００１５】
なおこの例では、コンデンサ７として電気二重層コンデンサを用いている。具体的には、定格電圧２．３Ｖの電気二重層コンデンサを５０個直列に接続してこの容量が３０Ｆのコンデンサ７を構成した。そして各電気二重層コンデンサの充電のバラツキを抑制するために、各電気二重層コンデンサと並列にそれぞれ３０オーム程度の抵抗体を接続した。
【００１６】
並列側電力変換器５は、並列変圧器２の二次巻線２ｂ側に配置されて補償電圧ΔＶ及び補償電流ΔＩを発生させるのに必要な電力変換と後に詳しく説明する瞬時電圧低下補償制御を行うための電力変換とを行う。そして直列側電力変換器６は、直列変圧器３の一次巻線３ａ側に配置されて補償電圧ΔＶを発生させるのに必要な電力変換と系統電圧Ｖinが規定値よりも高いときには直列変圧器３から直列側電力変換器６を通してコンデンサ７を充電するための電力変換とを行う。並列側電力変換器５及び直列側電力変換器６は交流と直流を双方向に電力変換可能に構成されており、一般的には複数の半導体スイッチがブリッジ接続されて構成されている。なおこのような半導体化された電力変換器を備えた電力変換装置については、前述の「半導体化高速移相器による可変リアクタンス装置（電圧変動の補償）」と題する論文に詳しく説明されている。
【００１７】
また電力変換器制御手段８は、コンデンサ７の端子間電圧一定制御とともに、後述する負荷電圧一定制御、力率１制御及び瞬時電圧低下補償制御を行うように直列側電力変換器６と並列側電力変換器５を制御する。
【００１８】
電力変換器制御手段８の並列側電力変換器制御部８Ａは、電圧センサ９で検出した系統電圧Ｖinと電流センサ１０で検出した電流Ｉ1 との間に位相差があり、しかも系統電圧Ｖinの大きさが所定の値以上（瞬時電圧低下が発生していると判断されるレベル以上）あるときには、基本的には並列側電力変換器５を整流回路（コンバータ）として動作させて並列側電力変換器５から直流電力を入力または出力させる駆動信号を並列電力変換器５に出力する。なお並列側電力変換器制御部８Ａは、この制御状態においても、電力系統を流れる無効電流成分を打ち消すために、並列側電力変換器５を通してコンデンサ７を充放電することにより無効電流を補償するための補償電流ΔＩを得て並列変圧器２を通して電力系統１に注入する動作を並列側電力変換器５に行わせている。
【００１９】
直列側電力変換器制御部８Ｂは、系統電圧Ｖinが基準値即ち規定値よりも低い場合には、基本的には電圧センサ９で検出した系統電圧Ｖinと電流センサ１０で検出した系統電流Ｉ1 との間の位相差と系統電圧Ｖinの大きさとに基いて、直列変圧器３から系統電圧Ｖinに重畳する補償電圧ΔＶの位相即ち補償角度θを決定する。補償角度θは，例えば負荷電圧の大きさを１００Ｖ一定にするとした場合には、下記の式（１）により導き出すことができる。
【００２０】
θ＝cos -1｛（１００2 −Ｖin2 −ΔＶ2 ）／２ＶinΔＶ｝      …（１）
直列側電力変換器制御部８Ｂは、この式（１）により決定した補償角度θを有する補償電圧ΔＶを直列変圧器３の二次巻線３ｂに発生させるように、直列側電力変換器６に駆動信号を出力する。このとき直列側電力変換器６は、コンデンサ７の両端の直流電圧を交流電圧に変換するインバータとして動作する。直列側電力変換器６が出力した交流電圧が直列変圧器３の一次巻線３ａに印加されると、直列変圧器３の二次巻線に所定の補償角度θの補償電圧ΔＶが現れ、この補償電圧ΔＶが系統電圧Ｖinに重畳されて、負荷電圧が規定値の範囲に入る（一定になる）ように制御される。なお補償電圧ΔＶの位相が系統電圧Ｖinに対して９０度〜２７０度の位相角になっているとき、即ち系統電圧Ｖinが規定値よりも高くなっているときには、直列側電力変換器６がコンバータとなって有効電力が直列変圧器３を介して直流側に流れ込んでコンデンサ７を充電する。そして並列側電力変換器５はコンデンサ７の両端電圧を一定にするための動作をする過程でコンデンサ７の電荷を並列変圧器２を介して放電し、有効電力は再び電力系統に返される。したがって直列側電力変換器６は、直列変圧器３を介して補償電圧ΔＶの系統電圧Ｖinに対する位相角の大きさに応じて、有効電力と無効電力の両方を電力系統との間でやりとりしている。このような一連の制御動作が負荷電圧Ｖout を規定値に維持する負荷電圧一定制御の動作である。なおこの負荷電圧一定制御の詳細に関しては、従来の技術の欄で説明した前述の公知の文献及び特開平１０−４２４６７号公報等に詳細に説明されているので説明は省略する。
【００２１】
また並列側電力変換器制御部８Ａは、電圧センサ９で検出した系統電圧Ｖinと電流センサ１０で検出した系統電流Ｉ1 との位相差から無効電流成分を検出し、これを打ち消す（すなわち無効電流を補償する）ための補償電流ΔＩを、並列側電力変換器５を通してコンデンサ７を充放電することにより得て並列変圧器２を通して電力系統１に注入する動作をするように並列側電力変換器５に駆動信号を出力する。これにより力率を１に近付ける力率１制御が行われる。なおこの力率１制御は、コンデンサ７の両端電圧を一定にする制御を行う動作過程において、前述の放電が行われて実施される。そしてこの力率１制御と前述の負荷電圧一定制御は並行して行われる。なおこの力率１制御についても、前述の公知の文献及び特開平１０−４２４６７号公報に詳細に説明されていて公知であるため、詳細な説明は省略する。
【００２２】
またこの例では、電力変換装置４の電力変換器制御手段８は、系統電圧Ｖinに瞬時電圧低下が発生したときに、電気二重層コンデンサからなるコンデンサ７に蓄積された電荷を並列側電力変換器５を通して放電して並列変圧器２から有効電力を電力系統１に供給することにより負荷電圧Ｖinを規定値内の電圧に近付ける瞬時電圧低下補償制御を開始する。瞬時電圧低下は、電圧センサ９の出力を予め定めた基準電圧と比較することにより検出する。電圧センサ９の出力が予め定めた基準電圧から例えば１０％以上低下（−１０％以上の瞬時電圧低下）したときには、並列側電力変換器制御部８Ａが瞬時電圧低下の発生と判断し、コンデンサ７の電荷を並列側電力変換器５を通して放電させて並列変圧器２から電力系統１に瞬時電圧低下に対応する量の電荷（エネルギ）を放電供給する。コンデンサ７を放電した当初に系統電圧が規定値よりも高くなっている場合には、直列側電力変換器６は整流機能を果たすコンバータとなってコンデンサ７を充電して、系統電圧を下げることにより系統電圧を規定値の範囲に入れるように動作する。コンデンサ７の電圧が低下して並列変圧器２から供給する電圧だけでは系統電圧を規定値にすることができなくなった場合には、直列変圧器３からの補償電圧ΔＶが系統電圧Ｖinに重畳されて、系統電圧は規定値に維持される。このようにして瞬時電圧低下の発生に対しては、負荷電圧一定制御と協調する形で、瞬時電圧低下補償制御が実施される。瞬時電圧低下補償制御におけるコンデンサ７の放電量は、直列変圧器３から系統電圧に重畳する補償電圧ΔＶによる補償では不足する分を補うことができる量である。したがって系統電圧Ｖinが予め定めた規定値から何％低下しているかを判定し、その低下量に応じてコンデンサ７の放電量を変えてもよい。しかしながらコンデンサ７の放電量を一定にしても、瞬時電圧低下補償をしない場合と比べれば、瞬時電圧低下による影響（例えばコンピュータのシャットダウン等）を殆ど無くすことができるので、実質的に問題はない。
【００２３】
並列側電力変換器制御部８Ａ及び直列側電力変換器制御部８Ｂの主要部分は、マイクロコンピュータによって構成することができる。そしてマイクロコンピュータを用いて、負荷電圧一定制御及び力率１制御を実現するためのソフトフウエアのアルゴリズムは、従来の公知の装置で用いられているものと同様のものを用いることができる。並列側電力変換器制御部８Ａで実行する瞬時電圧低下補償制御を実現するためには、図２に示すようなアルゴリズムでソフトウエアを構成すればよい。図２のアルゴリズムをハードウエアによって実現してもよいのは勿論である。また直列側電力変換器制御部８Ｂで実行する瞬時電圧低下補償制御を実現するためには、図３に示すようなアルゴリズムでソフトウエアを構成すればよい。図３のアルゴリズムをハードウエアによって実現してもよいのは勿論である。
【００２４】
この例にように、コンデンサ７として電気二重層コンデンサを用いると、容量が大きいために、従来のように並列側電力変換器と直列側電力変換器との間に有効電力制御のアンバランスが生じても、コンデンサの両端間の直流電圧が大幅に変動することがなく、補償精度と補償の信頼性とを確保することができる。また電力系統で瞬時電圧低下が発生したときに、電気二重層コンデンサに蓄積された電荷を並列側電力変換器を通して放電して並列変圧器からも電力系統に有効電力を放出することができる。そのため、電力系統で瞬時電圧低下が発生したときに、負荷電圧一定制御と協調して、負荷電圧を規定値内の電圧にすることが可能になる。
【００２５】
上記説明においては、電圧センサ９と電流センサ１０の出力に基いて補償電圧の位相（補償角度）を定めているが、直列変圧器３の二次巻線３ｂを流れる電流即ち負荷電流Ｉ2 を測定し、この負荷電流を考慮して負荷電圧一定制御の補償電圧ΔＶの位相を決定するようにすれば、補償電圧ΔＶの位相の決定精度が高くなる。
【００２６】
図４は、本発明の他の実施の形態の電力品質補償装置の構成を単線結線図を用いて概略的に示したものである。この実施の形態が図１の実施の形態と異なるのは、並列変圧器２を電力系統１の負荷側に配置し、直列変圧器３を電力系統１の電源側に配置したものである。並列変圧器２と直列変圧器３の位置を逆にしても制御が可能なことは、前述の「３相パラレルプロセシング方式受電端定電圧制御システムに関する検討」と題する論文に説明されており、また前述の「半導体化高速移相器による可変リアクタンス装置（電圧変動の補償）」と題する論文の第１００８頁の図１にも具体的には示されている。このように逆にした場合には、電力変換装置４´の特に電力変換器制御手段８´をマイクロコンピュータを用いて実現する場合に用いるソフトウエアが異なるため、図４においては、電力変換装置４´と電力変換器制御手段８´に図１の例とは異なる符号を付している。１２は負荷電圧を確認するために設けた電圧センサである。図４の例においても、図１の例と同様に、負荷電圧一定制御と力率１制御に加えて瞬時電圧低下補償制御を行うことができる。
【００２７】
【発明の効果】
請求項１の発明では、コンデンサとして電気二重層コンデンサを用いるため、従来のように並列側電力変換器と直列側電力変換器との間に有効電力制御のアンバランスが生じても、コンデンサの両端間の直流電圧が大幅に変動することがなく、補償精度と補償の信頼性とを確保することができる。
【００２８】
また電気二重層コンデンサを用いれば、容量が大きいために、電力系統で瞬時電圧低下が発生したときに、電気二重層コンデンサに蓄積された電荷を並列側電力変換器を通して放電して並列変圧器からも系統に有効電力を放出することができる。そのため、請求項２の発明のように、電力系統で瞬時電圧低下が発生したときに、負荷電圧一定制御と協調して、電気二重層コンデンサに蓄積された電荷を並列側電力変換器を通して放電して並列変圧器からも電力系統に有効電力を供給すれば、負荷電圧を規定値にすることが可能になる。
【図面の簡単な説明】
【図１】本発明の電力品質補償装置の実施の形態の構成を単線結線図を用いて概略的に示したものである。
【図２】図１の例において、並列側電力変換器制御部の動作のアルゴリズムを示すフローチャートである。
【図３】図１の例において、直列側電力変換器制御部の動作のアルゴリズムを示すフローチャートである。
【図４】本発明の電力品質補償装置の他の実施の形態の構成を単線結線図を用いて概略的に示したものである。
【符号の説明】
１  電力系統
２  並列変圧器
３  直列変圧器
４  電力変換装置
５  並列側電力変換器
６  直列側電力変換器
７  コンデンサ（電気二重層コンデンサ）
８  電力変換器制御手段
９  電圧センサ
１０  電流センサ
【図１】
0004672093.tif 000002
【図２】
0004672093.tif 000003
【図３】
0004672093.tif 000004
【図４】
0004672093.tif 000005